(57)【要約】【課題】放電灯点灯装置の製造コストを低くする。【解決手段】放電灯点灯装置１００は、寿命末期検出回路１７１（放電灯異常検出回路）とシーケンス回路１７２とを含む集積回路１７０と、インバータ制御回路１３５とを有する。放電灯点灯装置特有の回路である寿命末期検出回路１７１やシーケンス回路１７２を集積回路化することで部品点数を削減できるとともに、インバータ制御回路１３５には、放電灯点灯装置以外の汎用目的にも使用できるインバータ制御用集積回路などを用いることができる。【選択図】図１
2009037789.tif 000002
【特許請求の範囲】
【請求項１】
接続した放電灯の異常を検出する放電灯異常検出回路と上記放電灯異常検出回路が放電灯の異常を検出しない場合に上記放電灯の点灯モードを指示するモード切替信号を生成するシーケンス回路とを含む集積回路と、
上記シーケンス回路が生成したモード切替信号により指示された点灯モードに対応するインバータ駆動信号を生成するインバータ制御回路と、
上記インバータ制御回路が生成したインバータ駆動信号に基づいて、上記放電灯を点灯する交流電圧を生成するインバータ回路と
を有することを特徴とする放電灯点灯装置。
【請求項２】
上記放電灯異常検出回路は、上記放電灯の寿命末期を上記放電灯の異常として検出することを特徴とする請求項１に記載の放電灯点灯装置。
【請求項３】
上記放電灯異常検出回路は、上記放電灯が接続されていないことを上記放電灯の異常として検出することを特徴とする請求項１または請求項２に記載の放電灯点灯装置。
【請求項４】
上記シーケンス回路は、上記放電灯異常検出回路が放電灯の異常を検出しない場合に、予熱動作を指示するモード切替信号を生成し、上記予熱動作を指示するモード切替信号を生成してから所定の時間が経過した場合に、点灯動作を指示するモード切替信号を生成し、
上記インバータ制御回路は、上記シーケンス回路が生成したモード切替信号により予熱動作を指示された場合に、所定の予熱周波数のインバータ駆動信号を生成し、上記シーケンス回路が生成したモード切替信号により点灯動作を指示された場合に、所定の点灯周波数のインバータ駆動信号を生成する
ことを特徴とする請求項１乃至請求項３のいずれかに記載の放電灯点灯装置。
【請求項５】
上記シーケンス回路は、更に、上記放電灯異常検出回路が放電灯の異常を検出しない場合に、上記放電灯の点灯を指示する点灯信号を生成し、
上記インバータ制御回路は、上記シーケンス回路が生成した点灯信号により上記放電灯の点灯を指示された場合に、上記シーケンス回路が生成したモード切替信号により指示された点灯モードに対応するインバータ駆動信号を生成する
ことを特徴とする請求項１乃至請求項４のいずれかに記載の放電灯点灯装置。
【請求項６】
上記放電灯点灯装置は、更に、
上記集積回路を動作させる制御電源電圧を生成し、生成した制御電源電圧を上記集積回路に供給する制御電源回路と、
上記放電灯の異常を検出する第二異常検出回路と、
上記第二異常検出回路が上記放電灯の異常を検出した場合に、上記制御電源回路が生成した制御電源電圧が上記集積回路へ供給されるのを遮断する制御電源遮断回路とを有し、
上記集積回路は、上記制御電源回路が生成し上記制御電源遮断回路を介して供給された制御電源電圧を電源として動作することを特徴とする請求項１乃至請求項５のいずれかに記載の放電灯点灯装置。
【請求項７】
上記制御電源回路は、更に、生成した制御電源電圧を上記インバータ制御回路に供給し、
上記制御電源遮断回路は、更に、上記第二異常検出回路が上記放電灯の異常を検出した場合に、上記制御電源回路が生成した制御電源電圧が上記インバータ制御回路へ供給されるのを遮断し、
上記インバータ制御回路は、上記制御電源回路が生成し上記制御電源遮断回路を介して供給された制御電源電圧を電源として動作することを特徴とする請求項１乃至請求項６のいずれかに記載の放電灯点灯装置。
【請求項８】
上記放電灯点灯装置は、更に、
交流電源から交流電圧を入力し、入力した交流電圧を整流して、脈流電圧を生成する整流回路と、
上記整流回路が生成した脈流電圧から直流電圧を生成する力率改善回路と、
上記インバータ回路が生成した交流電圧から上記インバータ制御回路を動作させる第二電源電圧を生成し、生成した第二電源電圧を上記インバータ制御回路に供給する第二電源回路とを有し、
上記インバータ回路は、上記力率改善回路が生成した直流電圧から上記放電灯を点灯する交流電圧を生成し、
上記制御電源回路は、上記整流回路が生成した脈流電圧から制御電源電圧を生成し、
上記インバータ制御回路は、上記制御電源回路が生成し上記制御電源遮断回路を介して供給された制御電源電圧と上記第二電源回路が生成した第二電源電圧とを電源として動作することを特徴とする請求項６または請求項７に記載の放電灯点灯装置。
【請求項９】
上記集積回路は、消費電流が２．８ｍＡ以下であることを特徴とする請求項１乃至請求項８のいずれかに記載の放電灯点灯装置。
【請求項１０】
請求項１乃至請求項９のいずれかに記載の放電灯点灯装置と、
上記放電灯を接続し、上記放電灯点灯装置が生成した交流電圧を上記放電灯に供給する放電灯接続部と
を有することを特徴とする照明器具。
【発明の詳細な説明】
【技術分野】
【０００１】
この発明は、放電灯を点灯する放電灯点灯装置に関する。
【背景技術】
【０００２】
放電灯点灯装置の製造コストを低く抑えるため、集積回路を使用して、部品点数を少なくする技術がある。
【特許文献１】特開平１１−２６０５８３号公報
【特許文献２】特開２００６−１７２８３５号公報
【特許文献３】特開２００５−７１８４０号公報
【特許文献４】特開２００６−５９６１６号公報
【発明の開示】
【発明が解決しようとする課題】
【０００３】
集積回路は大量生産により製造コストを低くすることができるが、放電灯点灯装置専用の集積回路は、あまり大量生産できないので、必ずしも製造コストが低くならない。また、放電灯点灯装置以外にも使用できる汎用の集積回路は、定数を可変にするための入出力端子などが必要となる。
この発明は、例えば上記のような課題を解決するためになされたものであり、集積回路を用いて放電灯点灯装置の製造コストを低くすることを目的とする。
【課題を解決するための手段】
【０００４】
この発明にかかる放電灯点灯装置は、
接続した放電灯の異常を検出する放電灯異常検出回路と上記放電灯異常検出回路が放電灯の異常を検出しない場合に上記放電灯の点灯モードを指示するモード切替信号を生成するシーケンス回路とを含む集積回路と、
上記シーケンス回路が生成したモード切替信号により指示された点灯モードに対応するインバータ駆動信号を生成するインバータ制御回路と、
上記インバータ制御回路が生成したインバータ駆動信号に基づいて、上記放電灯を点灯する交流電圧を生成するインバータ回路とを有することを特徴とする。
【発明の効果】
【０００５】
この発明にかかる放電灯点灯装置によれば、放電灯異常検出回路とシーケンス回路とを含む集積回路を設けることにより、部品点数を削減し、放電灯点灯装置の製造コストを低くすることができる。また、上記集積回路とは別にインバータ制御回路を設けることにより、汎用部品を使用することができ、放電灯点灯装置の製造コストを更に低くすることができる。
【発明を実施するための最良の形態】
【０００６】
実施の形態１．
実施の形態１について、図１〜図３を用いて説明する。
【０００７】
図１は、この実施の形態における照明器具８００の構成を示す全体構成図である。
なお、商用電源ＡＣ及び放電灯ＬＡは、照明器具８００の一部ではない。
【０００８】
照明器具８００は、放電灯点灯装置１００、放電灯接続部８１０を有する。
照明器具８００は、商用電源ＡＣ（交流電源）から交流電圧の供給を受け、放電灯接続部８１０に接続した放電灯ＬＡを点灯する。
放電灯点灯装置１００は、商用電源ＡＣから供給された低周波交流電圧（例えば、５０Ｈｚまたは６０Ｈｚ）を入力し、放電灯ＬＡを点灯する高周波交流電圧（例えば、５０ｋＨｚ〜８０ｋＨｚ）を生成する。
放電灯接続部８１０は、例えば、ランプソケットであり、放電灯ＬＡを物理的に接続するとともに、放電灯ＬＡを放電灯点灯装置１００に電気的に接続し、放電灯点灯装置１００が生成した高周波交流電圧を放電灯ＬＡに印加して点灯する。
【０００９】
放電灯点灯装置１００は、整流回路１１０、力率改善回路１２０、インバータ回路１３０、インバータ制御回路１３５、カップリングコンデンサＣ４１、チョークコイルＬ４２、始動コンデンサＣ４３、抵抗器Ｒ５１、抵抗器Ｒ５２、無負荷検出回路１５０、制御電源回路１６０、第二電源回路１６５、集積回路１７０、制御電源遮断回路１８０を有する。
【００１０】
整流回路１１０（全波整流回路）は、商用電源ＡＣから供給された交流電圧を入力し、入力した交流電圧を全波整流して脈流電圧を生成し、生成した脈流電圧を出力する。整流回路１１０は、例えば、ダイオードブリッジＤＢ、コンデンサＣ１２からなる。ダイオードブリッジＤＢは、交流電圧を全波整流する。コンデンサＣ１２は、高周波ノイズを除去するための比較的容量が小さいコンデンサである。
【００１１】
力率改善回路１２０は、整流回路１１０が出力した脈流電圧を入力し、入力した脈流電圧を昇圧または降圧して直流電圧を生成し、生成した直流電圧を出力する。力率改善回路１２０は、例えば、インダクタＬ２１と、スイッチング素子Ｑ２２と、ダイオードＤ２３と、コンデンサＣ２４と、スイッチング素子Ｑ２２をオンオフ制御する昇圧チョッパ制御回路１２５とからなる昇圧チョッパ回路である。
【００１２】
インバータ回路１３０は、力率改善回路１２０が出力した直流電圧を入力し、入力した直流電圧から、放電灯ＬＡを点灯する高周波交流電圧を生成し、生成した高周波交流電圧を出力する。インバータ回路１３０は、例えば、スイッチング素子Ｑ３１、スイッチング素子Ｑ３２からなるハーフブリッジ構成の回路であり、インバータ制御回路１３５が出力するインバータ駆動信号により、スイッチング素子Ｑ３１及びスイッチング素子Ｑ３２を交互にオンオフすることにより、高周波交流電圧を生成する。
【００１３】
インバータ制御回路１３５は、インバータ回路１３０のスイッチング素子Ｑ３１及びスイッチング素子Ｑ３２をそれぞれオンオフするインバータ駆動信号を生成し、生成したインバータ駆動信号を出力する。インバータ制御回路１３５は、放電灯ＬＡの点灯モードに対応するインバータ駆動信号を生成する。例えば、放電灯ＬＡを消灯する場合、インバータ制御回路１３５は、スイッチング素子Ｑ３１及びスイッチング素子Ｑ３２をともにオフにするインバータ駆動信号を生成する。放電灯ＬＡを予熱する場合（予熱動作）、インバータ制御回路１３５は、所定の予熱周波数（例えば、８０ｋＨｚ）でスイッチング素子Ｑ３１及びスイッチング素子Ｑ３２を交互にオンオフするインバータ駆動信号を生成する。放電灯ＬＡを始動・点灯する場合（点灯動作）、インバータ制御回路１３５は、所定の点灯周波数（例えば、５０ｋＨｚ）でスイッチング素子Ｑ３１及びスイッチング素子Ｑ３２を交互にオンオフするインバータ駆動信号を生成する。
インバータ制御回路１３５は、放電灯ＬＡの点灯・消灯を指示する点灯信号と、放電灯ＬＡの点灯モードを指示するモード切替信号とを入力し、入力した点灯信号及びモード切替信号に基づいて、生成するインバータ駆動信号を切り替える。
【００１４】
カップリングコンデンサＣ４１は、インバータ回路１３０が出力した高周波交流電圧から、直流成分を除去するためのコンデンサである。
チョークコイルＬ４２は、放電灯ＬＡ点灯時の電流を制限するためのインダクタである。
始動コンデンサＣ４３は、放電灯ＬＡ始動時（放電開始時）において、チョークコイルＬ４２との共振により高電圧を発生し、放電灯ＬＡに印加するためのコンデンサである。
カップリングコンデンサＣ４１、チョークコイルＬ４２、始動コンデンサＣ４３、放電灯接続部８１０に接続した放電灯ＬＡが全体として、インバータ回路１３０の負荷となる負荷回路を構成する。
【００１５】
抵抗器Ｒ５１及び抵抗器Ｒ５２は、力率改善回路１２０が出力した直流電圧を分圧する分圧回路である。抵抗器Ｒ５１と抵抗器Ｒ５２との接続点は、始動コンデンサＣ４３の低電位側端子に接続している。放電灯ＬＡが放電灯接続部８１０に接続されていない場合、始動コンデンサＣ４３の低電位側端子の電位は、力率改善回路１２０が出力する直流電圧の電圧値に、抵抗器Ｒ５１と抵抗器Ｒ５２との分圧比を乗じた値となる。放電灯ＬＡが放電灯接続部８１０に接続されている場合、放電灯ＬＡのフィラメントの抵抗値は、抵抗器Ｒ５１及び抵抗器Ｒ５２の抵抗値と比べてとても小さいので、始動コンデンサＣ４３の低電位側端子の電位は、ほぼ０になる。
【００１６】
無負荷検出回路１５０（第二異常検出回路）は、始動コンデンサＣ４３の低電位側端子の電位を測定し、測定した電位に基づいて、放電灯ＬＡが放電灯接続部８１０に接続されているか否かを検出する。無負荷検出回路１５０は、検出した結果を示す接続状態検出信号を出力する。無負荷検出回路１５０は、例えば、放電灯ＬＡが放電灯接続部８１０に接続されていると判定した場合に、接続状態検出信号の電位を所定の電位より高電位とし、放電灯ＬＡが放電灯接続部８１０に接続されていないと判定した場合に、接続状態検出信号の電位を所定の電位より低電位とすることにより、検出した結果を示す。
【００１７】
制御電源回路１６０は、整流回路１１０が出力した脈流電圧を入力し、入力した脈流電圧から、集積回路１７０などを動作させる制御電源電圧を生成し、生成した制御電源電圧を出力する。制御電源回路１６０が出力した制御電源電圧は、例えば、インバータ制御回路１３５、集積回路１７０などに供給され、インバータ制御回路１３５、集積回路１７０などを動作させる電源となる。
なお、制御電源回路１６０が生成した制御電源電圧は、インバータ制御回路１３５や集積回路１７０だけでなく、昇圧チョッパ制御回路１２５などに供給され、昇圧チョッパ制御回路１２５などを動作させる電源となってもよい。
【００１８】
第二電源回路１６５は、インバータ回路１３０が出力した高周波交流電圧を入力し、入力した高周波交流電圧から、インバータ制御回路１３５などを動作させる制御電源電圧（第二電源電圧）を生成し、生成した制御電源電圧を出力する。第二電源回路１６５が出力した制御電源電圧は、例えば、インバータ制御回路１３５、集積回路１７０などに供給され、インバータ制御回路１３５、集積回路１７０などを動作させる電源となる。
【００１９】
インバータ制御回路１３５における消費電流は、待機時・起動時と、動作継続時とで異なる。インバータ制御回路１３５がスイッチング素子Ｑ３１及びスイッチング素子Ｑ３２をともにオフにするインバータ駆動信号を生成する場合（待機時）、または、スイッチング素子Ｑ３１及びスイッチング素子Ｑ３２を交互にオンオフするインバータ駆動信号の生成を開始する場合（起動時）において、インバータ制御回路１３５が消費する電流は、集積回路１７０が消費する電流に比べて非常に小さい（例えば、数十μＡ〜数百μＡ程度）。これに対し、インバータ制御回路１３５がスイッチング素子Ｑ３１及びスイッチング素子Ｑ３２を交互にオンオフするインバータ駆動信号の生成を開始したあと、スイッチング素子Ｑ３１及びスイッチング素子Ｑ３２を交互にオンオフするインバータ駆動信号の生成を継続する場合（動作継続時）において、インバータ制御回路１３５は、比較的大きな電流を消費する（例えば、数ｍＡ程度）。
【００２０】
放電灯ＬＡを消灯するため、インバータ制御回路１３５がスイッチング素子Ｑ３１及びスイッチング素子Ｑ３２をともにオフにするインバータ駆動信号を生成した場合、インバータ回路１３０は高周波交流電圧を生成しないので、第二電源回路１６５は制御電源電圧を生成しない。このため、インバータ制御回路１３５は、制御電源回路１６０が出力した制御電源電圧により動作する。このとき、インバータ制御回路１３５が消費する電流は小さいので、制御電源回路１６０が供給できる電流の範囲内で動作可能である。
放電灯ＬＡを予熱・始動・点灯するため、インバータ制御回路１３５がスイッチング素子Ｑ３１及びスイッチング素子Ｑ３２を交互にオンオフするインバータ駆動信号を生成した場合、インバータ回路１３０は高周波交流電圧を生成し、これをもとに、第二電源回路１６５は、制御電源電圧を生成する。インバータ制御回路１３５は、制御電源回路１６０及び第二電源回路１６５の双方から制御電源電圧の供給を受けて動作する。このとき、インバータ制御回路１３５が消費する電流が大きくなるが、第二電源回路１６５は、比較的大きな電流を供給できるので、インバータ制御回路１３５は、動作を継続することができる。
なお、第二電源回路１６５が生成した制御電源電圧は、インバータ制御回路１３５や集積回路１７０だけでなく、昇圧チョッパ制御回路１２５などに供給され、昇圧チョッパ制御回路１２５などを動作させる電源となってもよい。
【００２１】
集積回路１７０は、寿命末期検出回路１７１、シーケンス回路１７２を有する。
寿命末期検出回路１７１（放電灯異常検出回路、保護回路）は、放電灯ＬＡの寿命末期に発生する片エミレス点灯（整流点灯）などの異常を検出して、検出した結果を示す寿命末期検出信号を出力する。寿命末期検出回路１７１は、例えば、カップリングコンデンサＣ４１とチョークコイルＬ４２との接続点の電位を測定し、測定した電位に基づいて、放電灯ＬＡが寿命末期であるか否かを判定する。なお、放電灯ＬＡを消灯すると寿命末期の判定ができないので、寿命末期検出回路１７１は、放電灯ＬＡが寿命末期であると判定した場合、電源断などによりリセットされるまで寿命末期検出状態を保持する。
【００２２】
シーケンス回路１７２は、インバータ制御回路１３５が入力する点灯信号及びモード切替信号を生成し、生成した点灯信号及びモード切替信号を出力する。
シーケンス回路１７２は、例えば、放電灯ＬＡの点灯を指示する場合に、点灯信号の電位を所定の電位より高くし、放電灯ＬＡの点灯を指示しない（消灯を指示する）場合に、点灯信号の電位を所定の電位より低くすることにより、インバータ制御回路１３５に対して、放電灯ＬＡを点灯するか否かを指示する。
また、シーケンス回路１７２は、例えば、予熱動作を指示する場合に、モード切替信号の電位を所定の電位より低くし、点灯動作を指示する場合に、モード切替信号の電位を所定の電位より高くすることにより、インバータ制御回路１３５に対して、放電灯ＬＡの点灯モードを指示する。
【００２３】
シーケンス回路１７２は、寿命末期検出回路１７１が出力した寿命末期検出信号を入力し、入力した寿命末期検出信号に基づいて、寿命末期検出回路１７１の検出結果を判定する。寿命末期検出回路１７１が放電灯ＬＡの寿命末期を検出したと判定した場合、シーケンス回路１７２は、インバータ制御回路１３５に対して放電灯ＬＡの消灯を指示する点灯信号を生成する。例えば、シーケンス回路１７２は、点灯信号の電位を所定の電位より低くする。
寿命末期検出回路１７１が放電灯ＬＡの寿命末期を検出していないと判定した場合、シーケンス回路１７２は、まず、インバータ制御回路１３５に対して放電灯ＬＡの点灯を指示する点灯信号を生成し、予熱動作を指示するモード切替信号を生成する。例えば、シーケンス回路１７２は、点灯信号の電位を所定の電位より高くし、モード切替信号の電位を所定の電位より低くする。
放電灯ＬＡのフィラメントが暖まるのに必要な所定の時間が経過したのち、寿命末期検出回路１７１は、インバータ制御回路１３５に対して放電灯ＬＡの点灯を指示する点灯信号を生成し、点灯動作を指示するモード切替信号を生成する。例えば、シーケンス回路１７２は、点灯信号の電位を所定の電位より高く保ったまま、モード切替信号の電位を所定の電位より高くする。
【００２４】
制御電源遮断回路１８０は、無負荷検出回路１５０が出力した接続状態検出信号を入力し、入力した接続状態検出信号に基づいて、放電灯ＬＡが放電灯接続部８１０に接続されていないことを無負荷検出回路１５０が検出した場合に、制御電源回路１６０が生成した制御電源電圧を遮断して、集積回路１７０に制御電源電圧が供給されないようにする。制御電源遮断回路１８０は、例えば、スイッチング素子ＳＷ８１からなる。スイッチング素子ＳＷ８１は、無負荷検出回路１５０が出力した接続状態検出信号の電位が所定の電位より低い場合にオンとなり、接続状態検出信号の電位が所定の電位より高い場合にオフとなることにより、集積回路１７０に制御電源電圧が供給されるのを遮断する。
【００２５】
制御電源遮断回路１８０により制御電源電圧の供給が遮断されると、集積回路１７０は、動作に必要な電源を得ることができず、動作を停止する。これにより、シーケンス回路１７２が出力する点灯信号及びモード切替信号はともに低電位となる。このため、インバータ制御回路１３５は、放電灯ＬＡの消灯を指示されたと判断して、スイッチング素子Ｑ３１及びスイッチング素子Ｑ３２をともにオフにするインバータ駆動信号を出力する。したがって、インバータ回路１３０は、高周波交流電圧を生成しない。
このように、放電灯ＬＡが放電灯接続部８１０に接続されていない場合は、インバータ回路１３０が高周波交流電圧を生成しないので、無駄な電力消費を抑えることができる。
【００２６】
また、放電灯ＬＡが放電灯接続部８１０に接続されている場合は、制御電源遮断回路１８０を介して集積回路１７０に制御電源電圧が供給される。放電灯接続部８１０に接続されている放電灯ＬＡが寿命末期でない場合、シーケンス回路１７２が点灯信号及びモード切替信号を生成し、インバータ制御回路１３５が点灯信号及びモード切替信号に基づいて、インバータ駆動信号を生成し、インバータ回路１３０がインバータ駆動信号によりスイッチング素子Ｑ３１及びスイッチング素子Ｑ３２を交互にオンオフして、高周波交流電圧を生成し、放電灯ＬＡを点灯する。
したがって、正常時には、正しく放電灯ＬＡを点灯できる。
【００２７】
放電灯接続部８１０に接続されている放電灯ＬＡが寿命末期の場合、シーケンス回路１７２は、放電灯ＬＡの消灯を指示する点灯信号を生成し、インバータ制御回路１３５は、スイッチング素子Ｑ３１及びスイッチング素子Ｑ３２をともにオフにするインバータ駆動信号を生成する。したがって、インバータ回路１３０は、高周波交流電圧を生成せず、放電灯ＬＡは消灯する。
このように、放電灯ＬＡが放電灯接続部８１０に接続されているが、寿命末期である場合、インバータ回路１３０が高周波交流電圧を生成しないので、異常電圧・異常電流の発生により回路がダメージを受けるのを防ぐことができる。
【００２８】
図２は、この実施の形態における放電灯点灯装置１００の動作を示すシーケンス図である。
【００２９】
時刻ｔ０において、電源スイッチがオフになっているなどにより、放電灯点灯装置１００には、商用電源ＡＣからの低周波交流電圧が供給されていない。したがって、放電灯点灯装置１００内のすべての回路は動作せず、接続状態検出信号、点灯信号、モード切替信号の電位は低電位である。
【００３０】
時刻ｔ１において、電源スイッチをオンするなどして、放電灯点灯装置１００に商用電源ＡＣから低周波交流電圧が供給され始める。この時点で、放電灯ＬＡは放電灯接続部８１０に接続されていないものとする。
【００３１】
制御電源回路１６０は、整流回路１１０が脈流電圧を生成するので、制御電源電圧を生成する。
無負荷検出回路１５０は、放電灯ＬＡが放電灯接続部８１０に接続されていないことを検出し、接続状態検出信号の電位を低電位にする。
制御電源遮断回路１８０は、接続状態検出信号の電位が低電位なので、制御電源回路１６０が生成した制御電源電圧を遮断して、集積回路１７０に供給されないようにする。
集積回路１７０は、制御電源回路１６０が生成した制御電源電圧が制御電源遮断回路１８０により遮断され、電源の供給を受けないので、非動作のままである。したがって、点灯信号、モード切替信号の電位は低電位のままである。
インバータ制御回路１３５は、制御電源回路１６０が生成した制御電源電圧の供給を受けて動作を開始するが、点灯信号の電位が低電位なので、消灯を指示されたと判断し、スイッチング素子Ｑ３１、スイッチング素子Ｑ３２をともにオフにするインバータ駆動信号を生成する。したがって、インバータ回路１３０は、高周波交流電圧を生成しない。
第二電源回路１６５は、インバータ回路１３０が高周波交流電圧を生成しないので動作せず、制御電源電圧を生成しない。
【００３２】
時刻ｔ２において、寿命末期の放電灯ＬＡを放電灯接続部８１０に接続したとする。
【００３３】
無負荷検出回路１５０は、放電灯ＬＡが放電灯接続部８１０に接続されたことを検出し、接続状態検出信号の電位を高電位にする。
制御電源遮断回路１８０は、接続状態検出信号の電位が高電位なので、制御電源回路１６０が生成した制御電源電圧を遮断せず、集積回路１７０に供給する。
集積回路１７０は、制御電源電圧の供給を受け、動作を開始する。
寿命末期検出回路１７１は、放電灯ＬＡの寿命末期を検出しない。放電灯ＬＡが点灯していないので、異常電圧が発生しないからである。
シーケンス回路１７２は、放電灯ＬＡが寿命末期でないと寿命末期検出回路１７１が判定したので、予熱動作を開始するため、点灯信号の電位を高電位にし、モード切替信号の電位を低電位にする。
インバータ制御回路１３５は、点灯信号の電位が高電位なので、スイッチング素子Ｑ３１とスイッチング素子Ｑ３２とを交互にオンオフするインバータ駆動信号を生成する。インバータ制御回路１３５は、モード切替信号の電位が低電位なので、予熱周波数のインバータ駆動信号を生成する。これにより、インバータ回路１３０は、予熱周波数の交流電圧を生成する。
第二電源回路１６５は、インバータ回路１３０が生成した高周波交流電圧から制御電源電圧を生成し、インバータ制御回路１３５に供給する。これにより、インバータ制御回路１３５は、スイッチング素子Ｑ３１、スイッチング素子Ｑ３２を交互にオンオフするインバータ駆動信号を生成するために必要な電力を確保する。
【００３４】
シーケンス回路１７２は、内蔵するタイマ回路などにより、予熱動作の開始からの経過時間を測定し、放電灯ＬＡのフィラメントが暖まるのに十分な時間が経過したか判断する。
【００３５】
時刻ｔ３において、シーケンス回路１７２は、放電灯ＬＡのフィラメントが暖まるのに十分な時間が経過したと判断する。
シーケンス回路１７２は、点灯動作に移行するため、点灯信号の電位は高電位のまま、モード切替信号の電位を高電位にする。
インバータ制御回路１３５は、点灯信号の電位が高電位なので、スイッチング素子Ｑ３１とスイッチング素子Ｑ３２とを交互にオンオフするインバータ駆動信号を生成する。インバータ制御回路１３５は、モード切替信号の電位が高電位なので、点灯周波数のインバータ駆動信号を生成する。これにより、インバータ回路１３０は、点灯周波数の交流電圧を生成する。
チョークコイルＬ４２と始動コンデンサＣ４３との共振により、放電灯ＬＡの両端に高電圧が発生し、放電灯ＬＡが放電を開始して点灯する。しかし、放電灯ＬＡは寿命末期なので、異常電圧が発生する。
【００３６】
時刻ｔ４において、寿命末期検出回路１７１は、異常電圧を検出し、放電灯ＬＡの寿命末期を検出する。
【００３７】
時刻ｔ５において、シーケンス回路１７２は、寿命末期検出回路１７１が放電灯ＬＡの寿命末期を検出したので、放電灯ＬＡを消灯するため、点灯信号の電位を低電位にし、モード切替信号の電位も低電位にする。
インバータ制御回路１３５は、点灯信号の電位が低電位なので、スイッチング素子Ｑ３１及びスイッチング素子Ｑ３２をともにオフにするインバータ駆動信号を生成する。これにより、インバータ回路１３０は、高周波交流電圧を生成しなくなる。
第二電源回路１６５は、インバータ回路１３０が高周波交流電圧を生成しないので動作せず、制御電源電圧を生成しない。
【００３８】
インバータ回路１３０が高周波交流電圧の生成を停止するので、放電灯ＬＡは消灯し、異常電圧の発生も収まる。しかし、寿命末期検出回路１７１は、寿命末期の検出状態を保ち続ける。このため、シーケンス回路１７２は、点灯信号の電位を低電位のまま保つ。
【００３９】
時刻ｔ６において、放電灯ＬＡを交換するため、寿命末期の放電灯ＬＡが放電灯接続部８１０から外されたとする。
無負荷検出回路１５０は、放電灯ＬＡが放電灯接続部８１０に接続されていないことを検出し、接続状態検出信号の電位を低電位にする。
制御電源遮断回路１８０は、接続状態検出信号の電位が低電位なので、制御電源回路１６０が生成した制御電源電圧を遮断し、集積回路１７０に供給されないようにする。
集積回路１７０は、制御電源遮断回路１８０が制御電源電圧を遮断して、電源の供給を断たれたので、動作を停止する。これにより、点灯信号、モード切替信号は、低電位となる。
インバータ制御回路１３５は、点灯信号の電位が低電位のままなので、スイッチング素子Ｑ３１及びスイッチング素子Ｑ３２をともにオフにするインバータ駆動信号を生成し続け、インバータ回路１３０は、高周波交流電圧を生成しない状態を保つ。
【００４０】
時刻ｔ７において、新しい放電灯ＬＡを放電灯接続部８１０に接続したとする。
【００４１】
無負荷検出回路１５０は、放電灯ＬＡが放電灯接続部８１０に接続されたことを検出し、接続状態検出信号の電位を高電位にする。
制御電源遮断回路１８０は、接続状態検出信号の電位が高電位なので、制御電源回路１６０が生成した制御電源電圧を遮断せず、集積回路１７０に供給する。
集積回路１７０は、制御電源電圧の供給を受け、動作を再開する。
寿命末期検出回路１７１は、異常電圧を検出しない。また、寿命末期検出回路１７１は、電源の切断によりリセットされたので、以前の検出結果を保持していない。このため、寿命末期検出回路１７１は、放電灯ＬＡが寿命末期でないと判定する。
シーケンス回路１７２は、放電灯ＬＡが寿命末期でないと寿命末期検出回路１７１が判定したので、放電灯ＬＡを点灯する。シーケンス回路１７２は、電源の切断によりリセットされたので、最初から動作を開始する。すなわち、シーケンス回路１７２は、再び予熱動作を開始するため、点灯信号の電位を高電位にし、モード切替信号の電位を低電位にする。
インバータ制御回路１３５は、点灯信号及びモード切替信号に基づいて、予熱周波数のインバータ駆動信号を生成し、インバータ回路１３０は、予熱周波数の交流電圧を生成する。
【００４２】
時刻ｔ８において、シーケンス回路１７２は、放電灯ＬＡのフィラメントが暖まるのに十分な時間が経過したと判断し、点灯動作に移行するため、点灯信号の電位は高電位のまま、モード切替信号の電位を高電位にする。
インバータ制御回路１３５は、点灯信号及びモード切替信号に基づいて、点灯周波数のインバータ駆動信号を生成し、インバータ回路１３０は、点灯周波数の交流電圧を生成する。
【００４３】
これにより、放電灯ＬＡが放電を開始し点灯する。放電灯ＬＡは新品なので異常電圧は発生せず、寿命末期検出回路１７１は放電灯ＬＡが寿命末期ではないと判定するので、放電灯点灯装置１００はそのまま点灯動作を継続する。
【００４４】
このように、放電灯ＬＡが放電灯接続部８１０に接続されていない場合や、放電灯ＬＡが寿命末期である場合などにおいて、寿命末期検出回路１７１（放電灯異常検出回路）や無負荷検出回路１５０（第二異常検出回路）が放電灯ＬＡの異常を検出して、インバータ回路１３０の発振を停止するので、無駄な電力消費を抑えるとともに、放電灯点灯装置１００を保護することができる。
【００４５】
放電灯点灯装置１００の製造コストを低く抑えるため、放電灯点灯装置１００の部品点数が少ないことが望ましい。集積回路を用いることにより、部品点数を削減できる。
また、１つ１つの部品の製造コストが低ければ、放電灯点灯装置１００全体の製造コストも低くなる。特に、集積回路は、大量生産により製造コストを下げることが可能である。
【００４６】
インバータ制御は、放電灯点灯装置に限らず、他の家電製品などにおいても広く使われている技術である。そのため、汎用目的に利用できるインバータ制御用集積回路は、大量生産により、製造コストを低く抑えることができる。
これに対し、放電灯ＬＡの寿命末期を検出する寿命末期検出回路や、放電灯ＬＡの予熱・点灯動作を制御するシーケンス回路は、放電灯点灯装置特有の回路である。したがって、寿命末期検出回路やシーケンス回路を含む集積回路は、汎用目的に利用できるインバータ制御用集積回路ほど大量生産することはできず、汎用目的に利用できるインバータ制御用集積回路よりも製造コストが高くなる。
【００４７】
そこで、この実施の形態における放電灯点灯装置１００は、寿命末期検出回路１７１とシーケンス回路１７２とを１つの集積回路１７０としている。これにより、放電灯点灯装置１００の部品点数が少なくなり、放電灯点灯装置１００の製造コストを低く抑えることができる。
また、インバータ制御回路１３５には、汎用目的に利用できるインバータ制御用集積回路などを用いる。これにより、放電灯点灯装置１００の部品点数が少なくなるだけでなく、大量生産による製造コスト削減の効果もあるので、放電灯点灯装置１００の製造コストを更に低く抑えることができる。
【００４８】
これにより、インバータ制御回路１３５と寿命末期検出回路１７１とシーケンス回路１７２とをすべて含む集積回路を用いる場合と比較して、部品点数が多くなり製造コストが高くなるが、大量生産による製造コスト削減の効果のほうが大きいので、全体として放電灯点灯装置１００の製造コストを低く抑えることができる。
【００４９】
また、スイッチング素子Ｑ３１を駆動するインバータ駆動信号は、力率改善回路１２０が出力する直流電圧とほぼ同電位となる場合がある。そのため、インバータ駆動信号を出力する集積回路は、高電圧に耐えられる必要があり、パッケージを大きくしたり空きピンを設けたりして絶縁距離を確保するなどの対策が必要となる。
この実施の形態における集積回路１７０は、インバータ制御回路１３５を含まないので、このような対策を取る必要がない。したがって、集積回路１７０は、パッケージを小さくすることができるなど、製造コストを低く抑えることができる。
【００５０】
なお、この実施の形態において、集積回路１７０が出力する点灯信号やモード切替信号は、電位により点灯消灯指示などの論理を表わすものとして説明したが、他の物理量により論理を表わすものであってもよい。ここで、点灯信号は、集積回路１７０が動作していないときの状態（例えば、低電位）が、消灯指示を表わすことが望ましい。これにより、集積回路１７０が動作していない場合と、集積回路１７０が動作してシーケンス回路１７２が消灯を指示した場合とで、点灯信号の状態が同じになるので、インバータ制御回路１３５は、どちらの場合であるかを区別することなく、スイッチング素子Ｑ３１及びスイッチング素子Ｑ３２をともにオフするインバータ駆動信号を生成すればよい。
【００５１】
また、集積回路１７０の消費電流は、２．８ｍＡ以下であることが望ましい。
【００５２】
図３は、一般的な制御電源回路１６０の回路構成の一例を示す電気回路図である。
端子ａは、整流回路１１０が生成した脈流電圧を入力する端子である。端子ｂは、生成した制御電源電圧を出力する端子である。
端子ａから入力した脈流電圧は、抵抗器Ｒ６１により降圧され、コンデンサＣ６２を充電する。コンデンサＣ６２に充電された電圧がツェナーダイオードＺＤ６３のツェナー電圧を超えると、ツェナーダイオードＺＤ６３が導通し、それ以上コンデンサＣ６２が充電されないので、端子ｂから出力される制御電源電圧は、ツェナーダイオードＺＤ６３のツェナー電圧で一定となる。
制御電源回路１６０は、抵抗器Ｒ６１を通ってコンデンサＣ６２を充電する電流の平均値とほぼ等しい電流を、端子ｂから出力できる。それより大きい電流を出力しようとすると、コンデンサＣ６２が十分に充電されず、出力する制御電源電圧の電圧値が下がってしまう。
抵抗器Ｒ６１を流れる電流の平均値は、端子ａと端子ｂとの電位差の平均値を抵抗器Ｒ６１の抵抗値で割ったものである。
【００５３】
インバータ回路１３０が高周波交流電圧を生成している場合、第二電源回路１６５が制御電源電圧を生成するので、集積回路１７０の動作に必要な電流は、第二電源回路１６５から供給できる。
これに対し、インバータ制御回路１３５がスイッチング素子Ｑ３１及びスイッチング素子Ｑ３２をともにオフにするインバータ駆動信号を生成し、インバータ回路１３０が高周波交流電圧を生成していない場合、第二電源回路１６５は制御電源電圧を生成しないので、集積回路１７０の動作に必要な電流を、制御電源回路１６０が供給する必要がある。
なお、このときインバータ制御回路１３５は待機状態にあるので、インバータ制御回路１３５における消費電流は非常に小さく、無視してよい。
【００５４】
インバータ回路１３０が高周波交流電圧を生成していない場合、コンデンサＣ２４を放電する電流がほとんど流れない。力率改善回路１２０が動作を停止するので、コンデンサＣ１２を放電する電流もほとんど流れず、コンデンサＣ１２には、脈流電圧のピークに相当する電圧が充電される。
【００５５】
例えば、商用電源ＡＣとして、標準電圧１００Ｖの電源を用いる場合、実際の実効電圧の最小値は、電気事業法施行規則第４４条によれば、１０１Ｖ−６Ｖ＝９５Ｖである。ただし、これは供給側における電圧なので、送電中の減衰やダイオードブリッジＤＢにおける電圧降下などを考慮して、下限を約９３Ｖと見積もると、脈流電圧のピーク値は、９３Ｖ×√２＝約１３２Ｖである。  例えば、端子ｂの電位の平均値（すなわち、制御電源電圧の電圧値）が５Ｖだとすると、端子ａと端子ｂとの電位差の平均値は、１３２Ｖ−５Ｖ＝約１２７Ｖとなる。商用電源ＡＣの実効電圧が最小の場合に出力電流２．８ｍＡを確保するためには、抵抗器Ｒ６１の抵抗値が約４５ｋΩ以下である必要がある。
【００５６】
抵抗器Ｒ６１の抵抗値が小さいと、抵抗器Ｒ６１における電力消費が大きくなるので、省電力の観点から、抵抗器Ｒ６１の抵抗値は大きいほうが好ましい。そこで、抵抗器Ｒ６１の抵抗値を４５ｋΩに設定したとする。
【００５７】
放電灯点灯装置１００がいわゆる電源電圧フリー設計である場合、商用電源ＡＣの電圧は、様々な可能性がある。例えば、商用電源ＡＣとして、上述した標準電圧１００Ｖの電源を設計範囲の最小値とし、標準電圧１００Ｖの単相三線の相間電圧から生成した２００Ｖの電源を設計範囲の最大値とする。標準電圧１００Ｖの単相三線の相間電圧から生成した２００Ｖの実際の実効電圧の最大値は、（１０１Ｖ＋６Ｖ）×２＝２１４Ｖである。その場合、脈流電圧のピーク値は、２１４Ｖ×√２＝約３０３Ｖである。
この場合、抵抗器Ｒ６１の両端電圧は、３０３Ｖ−５Ｖ＝約２９８Ｖであるから、抵抗器Ｒ６１における消費電力は、２９８Ｖ×２９８Ｖ÷４５ｋΩ＝約２．０Ｗとなる。
【００５８】
このため、抵抗器Ｒ６１は、例えば、定格電力１／２Ｗのチップ抵抗４つを直列、並列または直並列に接続して構成することができる。
したがって、制御電源回路１６０を、小型化・低コスト化することができる。
【００５９】
集積回路１７０に内蔵される寿命末期検出回路１７１やシーケンス回路１７２は、大きな容量のコンデンサや大きなインダクタのコイルを含まない回路であることが好ましい。大きな容量のコンデンサや大きなインダクタのコイルは、集積回路化できず、集積回路１７０に外づけする必要が生じるからである。
また、寿命末期検出回路１７１やシーケンス回路１７２は、負電圧が発生しない回路であることが好ましい。一般的に、集積回路は、負電圧が印加されると正常に動作しないからである。
また、寿命末期検出回路１７１やシーケンス回路１７２は、ノイズが入っても動作が不安定にならない回路であることが好ましい。集積回路化によりノイズに弱くなるからである。
【００６０】
実施の形態２．
実施の形態２について、図４〜図５を用いて説明する。
【００６１】
図４は、この実施の形態における照明器具８００の構成を示す全体構成図である。
なお、実施の形態１で説明した照明器具８００と共通する部分については、同一の符号を付し、ここでは説明を省略する。
【００６２】
制御電源遮断回路１８０は、無負荷検出回路１５０（第二異常検出回路）が出力した接続状態検出信号に基づいて、放電灯ＬＡが放電灯接続部８１０に接続されていないことを無負荷検出回路１５０が検出した場合に、制御電源回路１６０が生成した制御電源電圧を遮断して、集積回路１７０に対してだけでなく、インバータ制御回路１３５に対しても制御電源電圧が供給されないようにする。
【００６３】
シーケンス回路１７２は、点灯信号を生成せず、モード切替信号のみを生成し、出力する。
シーケンス回路１７２は、寿命末期検出信号に基づいて、寿命末期検出回路１７１が放電灯ＬＡの寿命末期を検出した場合、放電灯ＬＡを消灯するため、モード切替信号の電位を低電位とする。
【００６４】
シーケンス回路１７２が点灯信号を出力しないので、インバータ制御回路１３５は、電源の供給を受けて動作している場合、常に、スイッチング素子Ｑ３１及びスイッチング素子Ｑ３２を交互にオンオフするインバータ駆動信号を生成する。インバータ制御回路１３５は、モード切替信号に基づいて、予熱周波数あるいは点灯周波数のインバータ駆動信号を生成する。
【００６５】
図５は、この実施の形態における放電灯点灯装置１００の動作を示すシーケンス図である。
【００６６】
時刻ｔ１において、電源スイッチをオンにするなどして、放電灯点灯装置１００に商用電源ＡＣから低周波交流電圧が供給され始めるが、放電灯ＬＡは放電灯接続部８１０に接続されていない。
無負荷検出回路１５０は、放電灯ＬＡが放電灯接続部８１０に接続されていないことを検出し、接続状態検出信号の電位を低電位にする。
制御電源遮断回路１８０は、接続状態検出信号の電位が低電位なので、制御電源遮断回路１８０が生成した制御電源電圧を遮断し、集積回路１７０及びインバータ制御回路１３５に供給されないようにする。
これにより、集積回路１７０だけでなく、インバータ制御回路１３５も動作しない。したがって、インバータ制御回路１３５は、スイッチング素子Ｑ３１及びスイッチング素子Ｑ３２をオンまたはオフにするインバータ駆動信号を出力しない。
スイッチング素子Ｑ３１及びスイッチング素子Ｑ３２は、インバータ制御回路１３５がインバータ駆動信号を出力しないので、オフのままとなる。したがって、インバータ回路１３０は、高周波交流電圧を生成しない。
【００６７】
時刻ｔ５において、シーケンス回路１７２は、寿命末期検出回路１７１が放電灯ＬＡの寿命末期を検出したので、放電灯ＬＡを消灯するため、モード切替信号の電位を低電位にする。
インバータ制御回路１３５は、モード切替信号の電位が低電位なので、予熱周波数のインバータ駆動信号を生成する。これにより、インバータ回路１３０は、予熱周波数の交流電圧を生成する。
【００６８】
チョークコイルＬ４２による電流制限のため、インバータ回路１３０が生成する交流電圧の周波数が高いほど、放電灯ＬＡを流れる電流は小さくなる。したがって、予熱周波数が点灯周波数より高ければ、放電灯ＬＡを流れる電流が小さくなる。回路定数を適切に設定することにより、放電灯ＬＡを流れる電流が、放電灯ＬＡにおける放電を維持できる電流より小さくなるようにすれば、放電灯ＬＡは放電を停止し、消灯する。
【００６９】
時刻ｔ６において、交換のため放電灯ＬＡを外すと、無負荷検出回路１５０は、放電灯ＬＡが放電灯接続部８１０に接続されていないことを検出し、接続状態検出信号を低電位にする。制御電源回路１６０が生成した制御電源電圧を制御電源遮断回路１８０が遮断するので、インバータ制御回路１３５は第二電源回路１６５が生成した制御電源電圧だけでは動作を継続できず、動作を停止する。したがって、インバータ回路１３０は、高周波交流電圧を生成しない。
【００７０】
このように、放電灯ＬＡが放電灯接続部８１０に接続されていないなど放電灯ＬＡの異常を検出した場合、放電灯点灯装置１００を保護するため、インバータ回路１３０は高周波交流電圧を生成しない。そのとき、インバータ制御回路１３５が動作している必要はないので、制御電源遮断回路１８０がインバータ制御回路１３５に対する制御電源電圧の供給を遮断し、インバータ制御回路１３５の動作を停止する。
【００７１】
これにより、放電灯ＬＡが放電灯接続部８１０に接続されていない場合に、インバータ制御回路１３５が電力を消費しないので、放電灯点灯装置１００全体の消費電力を削減することができる。
【００７２】
また、シーケンス回路１７２が点灯信号を生成しないので、集積回路１７０の出力ピンの数を少なくすることができる。これにより、集積回路１７０を小型化できるので、集積回路１７０の製造コストを低くすることができる。
【００７３】
なお、シーケンス回路１７２は、実施の形態１と同様に、点灯信号を生成し出力してもよい。その場合、寿命末期検出による消灯時に、インバータ回路１３０が高周波交流電圧を生成しないので、その分の電力消費を抑えることができる。
【００７４】
実施の形態３．
実施の形態３について、図６を用いて説明する。
【００７５】
図６は、この実施の形態における照明器具８００の構成を示す全体構成図である。
なお、実施の形態１及び実施の形態２で説明した照明器具８００と共通する部分については、同一の符号を付し、ここでは説明を省略する。
【００７６】
制御電源遮断回路１８０は、無負荷検出回路１５０（第二異常検出回路）が出力した接続状態検出信号に基づいて、放電灯ＬＡが放電灯接続部８１０に接続されていないことを無負荷検出回路１５０が検出した場合に、整流回路１１０が出力した脈流電圧を遮断して、制御電源回路１６０に供給されないようにする。
【００７７】
これにより、制御電源回路１６０は、制御電源電圧を生成しなくなり、集積回路１７０及びインバータ制御回路１３５は、動作に必要な電源の供給を受けられないので、動作を停止する。スイッチング素子Ｑ３１及びスイッチング素子Ｑ３２はオフのままになり、インバータ回路１３０は、高周波交流電圧を生成しない。
【００７８】
このように、制御電源遮断回路１８０を、制御電源回路１６０と集積回路１７０及びインバータ制御回路１３５の間ではなく、整流回路１１０と制御電源回路１６０との間に設けても、放電灯ＬＡが放電灯接続部８１０に接続されていない場合に、インバータ回路１３０の動作を停止し、高周波交流電圧を生成しないようにすることができる。
【００７９】
これにより、放電灯ＬＡが放電灯接続部８１０に接続されていない場合に、制御電源回路１６０が電力を消費しないので、１００全体の消費電力を更に削減することができる。
【００８０】
実施の形態４．
実施の形態４について、図７を用いて説明する。
【００８１】
図７は、この実施の形態における照明器具８００の構成を示す全体構成図である。
なお、実施の形態１〜実施の形態３で説明した照明器具８００と共通する部分については、同一の符号を付し、ここでは説明を省略する。
【００８２】
集積回路１７０は、寿命末期検出回路１７１、シーケンス回路１７２に加えて、無負荷検出回路１７３を含む。
無負荷検出回路１７３（放電灯異常検出回路）は、実施の形態１で説明した無負荷検出回路１５０と同様、始動コンデンサＣ４３の低電位側端子の電位を測定し、測定した電位に基づいて、放電灯ＬＡが放電灯接続部８１０に接続されているか否かを検出し、検出結果を示す接続状態検出信号を出力する。
寿命末期検出回路１７１は、寿命末期検出により放電灯ＬＡが消灯し、異常電圧を検出しなくなった場合、寿命末期検出状態を保持せず、寿命末期でないと判定する。
シーケンス回路１７２は、寿命末期検出回路１７１が出力した寿命末期検出信号と、無負荷検出回路１７３が出力した接続状態検出信号とを入力し、入力した寿命末期検出信号及び接続状態検出信号に基づいて、動作モードを決定し、決定した動作モードをインバータ制御回路１３５に対して指示する点灯信号やモード切替信号を出力する。
【００８３】
図８は、この実施の形態におけるシーケンス回路１７２が放電灯点灯装置１００の動作シーケンスを指示するシーケンス処理の流れを示すフローチャート図である。
【００８４】
集積回路１７０に電源が供給され、シーケンス回路１７２が動作を始めると、シーケンス回路１７２は、シーケンス処理を行う。
【００８５】
第一接続判定工程Ｓ１１において、無負荷検出回路１７３が出力した接続状態検出信号を入力する。シーケンス回路１７２は、入力した接続状態検出信号に基づいて、放電灯ＬＡが放電灯接続部８１０に接続されているか否かを判定する。
放電灯ＬＡが放電灯接続部８１０に接続されていないと判定した場合、第一接続判定工程Ｓ１１を繰り返し、放電灯ＬＡが放電灯接続部８１０に接続されるのを待つ。
放電灯ＬＡが放電灯接続部８１０に接続されていると判定した場合、予熱指示工程Ｓ１２へ進む。
【００８６】
予熱指示工程Ｓ１２において、シーケンス回路１７２は、予熱動作を指示する点灯信号やモード切替信号を生成し出力する。
【００８７】
予熱待ち工程Ｓ１３において、シーケンス回路１７２は、内蔵するタイマ回路などにより、放電灯ＬＡのフィラメントが暖まるのに十分な所定の時間が経過したか否かを判定する。
まだ十分な時間が経過していないと判定した場合、予熱指示工程Ｓ１２に戻る。
十分な時間が経過したと判定した場合、点灯指示工程Ｓ１４へ進む。
【００８８】
点灯指示工程Ｓ１４において、シーケンス回路１７２は、点灯動作を指示する点灯信号やモード切替信号を生成し出力する。
【００８９】
寿命末期判定工程Ｓ１５において、シーケンス回路１７２は、寿命末期検出回路１７１が出力した寿命末期検出信号を入力する。シーケンス回路１７２は、入力した寿命末期検出信号に基づいて、放電灯ＬＡが寿命末期であるか否かを判定する。
放電灯ＬＡが寿命末期であると判定した場合、消灯指示工程Ｓ１７へ進む。
放電灯ＬＡが寿命末期でないと判定した場合、第二接続判定工程Ｓ１６へ進む。
【００９０】
第二接続判定工程Ｓ１６において、シーケンス回路１７２は、無負荷検出回路１７３が出力した接続状態検出信号を入力する。シーケンス回路１７２は、入力した接続状態検出信号に基づいて、放電灯ＬＡが放電灯接続部８１０に接続されているか否かを判定する。
放電灯ＬＡが放電灯接続部８１０に接続されていると判定した場合、点灯指示工程Ｓ１４に戻り、放電灯ＬＡの点灯を続ける。
放電灯ＬＡが放電灯接続部８１０に接続されていないと判定した場合、消灯指示工程Ｓ１７へ進む。
【００９１】
消灯指示工程Ｓ１７において、シーケンス回路１７２は、消灯動作を指示する点灯信号やモード切替信号を生成し出力する。
【００９２】
第三接続判定工程Ｓ１８において、シーケンス回路１７２は、無負荷検出回路１７３が出力した接続状態検出信号を入力する。シーケンス回路１７２は、入力した接続状態検出信号に基づいて、放電灯ＬＡが放電灯接続部８１０に接続されているか否かを判定する。
放電灯ＬＡが放電灯接続部８１０に接続されていると判定した場合、第三接続判定工程Ｓ１８を繰り返し、放電灯ＬＡが交換のため外されるのを待つ。
放電灯ＬＡが放電灯接続部８１０に接続されていないと判定した場合、第一接続判定工程Ｓ１１に戻る。
【００９３】
このように、集積回路１７０が無負荷検出回路１７３を含むことにより、部品点数を更に削減できるので、放電灯点灯装置１００の製造コストを低く抑えることができる。
【００９４】
また、集積回路１７０の内部で無負荷検出によるリセット処理をするので、制御電源遮断回路１８０が必要ない。これにより、部品点数更に削減できるので、放電灯点灯装置１００の製造コストを更に低く抑えることができる。
【図面の簡単な説明】
【００９５】
【図１】実施の形態１における照明器具８００の構成を示す全体構成図。
【図２】実施の形態１における放電灯点灯装置１００の動作を示すシーケンス図。
【図３】一般的な制御電源回路１６０の回路構成の一例を示す電気回路図。
【図４】実施の形態２における照明器具８００の構成を示す全体構成図。
【図５】実施の形態２における放電灯点灯装置１００の動作を示すシーケンス図。
【図６】実施の形態３における照明器具８００の構成を示す全体構成図。
【図７】実施の形態４における照明器具８００の構成を示す全体構成図。
【図８】実施の形態４におけるシーケンス回路１７２が放電灯点灯装置１００の動作シーケンスを指示するシーケンス処理の流れを示すフローチャート図。
【符号の説明】
【００９６】
１００  放電灯点灯装置、１１０  整流回路、１２０  力率改善回路、１２５  昇圧チョッパ制御回路、１３０  インバータ回路、１３５  インバータ制御回路、１５０，１７３  無負荷検出回路、１６０  制御電源回路、１６５  第二電源回路、１７０  集積回路、１７１  寿命末期検出回路、１７２  シーケンス回路、１８０  制御電源遮断回路、８００  照明器具、８１０  放電灯接続部、ＡＣ  商用電源、Ｃ１２，Ｃ２４，Ｃ６２  コンデンサ、Ｃ４１  カップリングコンデンサ、Ｃ４３  始動コンデンサ、Ｄ２３  ダイオード、ＤＢ  ダイオードブリッジ、Ｌ２１  インダクタ、Ｌ４２  チョークコイル、ＬＡ  放電灯、Ｑ２２，Ｑ３１，Ｑ３２，ＳＷ８１  スイッチング素子、Ｒ５１，Ｒ５２，Ｒ６１  抵抗器、ＺＤ６３  ツェナーダイオード。
【図１】
2009037789.tif 000003
【図２】
2009037789.tif 000004
【図３】
2009037789.tif 000005
【図４】
2009037789.tif 000006
【図５】
2009037789.tif 000007
【図６】
2009037789.tif 000008
【図７】
2009037789.tif 000009
【図８】
2009037789.tif 000010